(57)【要約】      （修正有）【課題】元来、夏季に防暑用として用いる広縁のハットは、麦わら帽子に代表されるような形態をなし、戸外における農作業等やレジャ−などに広く使われているが、いずれも酷暑の折は、必然的に太陽熱により著しく加熱されて、自然に着用している頭部の温度上昇が大きく、熱中症を引き起こすなどのアクシデントの原因となる。従って、太陽光線を極力反射し断熱効果を有する素材により構成して形成した広縁のハットを提供する。【解決手段】広縁のハット様式のポリエチレン製の型枠を用い、熱伝導が少なく保温性のある素材を活用し、ハットの表面にあたる面に光線が十分に反射する如くコ−ティングを施した柔軟な材料をテ−プ状にカットされたものを用いて、格子状に編み込んで形成した広縁のク−ルハットを提供する。【選択図】図２
0003135291.tif 000002
【実用新案登録請求の範囲】
【請求項１】
柔軟性と断熱性を有し、太陽光線を反射し得るコ−ティングを施した素材をテ−プ状にカットした材料を主材とし、ポリエチレン素材を抽出して成型した型枠を骨組みとする広縁ハット。
【請求項２】
請求項１において、主材と仕立て方をサンプルとする広縁ハットの教材。
【考案の詳細な説明】
【技術分野】
【０００１】  本考案は、酷暑の中での農作業やレジャ−における暑さ対策に供するため、極力、太陽光線を反射でき断熱効果の高い素材を用いて仕立て、通気性を加味した広縁のハットに関するものである。
【背景技術】
【０００２】  従来から、頭部を保護したりファッションのために用いるハットは、多種の形状と構造のものが市販されており、目的と用途に応じて硬い素材で構成するヘルメットからファッション性が高く装飾性に優れた華美なものまで数多く存在するが、いずれも夏季の酷暑中における使用条件に適さない欠点がある。【０００３】  なかでも、主として夏季に用いるハットのうち、麦わら帽に代表される広縁のハットにおいては、軽便に使用できて比較的安価に手に入れることができるので、夏期の農作業をはじめ戸外における作業時に多く用いられ、一方では夏季におけるレジャ−にも暑さ対策のため盛んに使用するが、いずれも頭部を太陽熱から保護する目的を満たしていない。【０００４】  すなはち、従来からのハット全般にわたっての欠点は、厳しい太陽熱に加熱されての頭部の温度上昇に関しては欠陥が有り、少なくとも暑さ対策の基本に忠実ではない。【０００５】  もちろん、用途とファッション性から云えば、ハットの構造上で前述のような条件を満たせないことは理解できるが、前述における夏季の暑さ対策を優先する条件下での広縁のハット（以下、ハット）の構造ならびに素材は考慮せざるを得ない。
【考案の開示】
【考案が解決しようとする課題】
【０００６】  いわゆる炎天下においては、頭部の過熱から熱中症による目眩をはじめそれらが原因となる卒倒による負傷や、副腎作用の欠如や不調から命にかかわる重大な事態を及ぼすものであり、人体は常に諺通り「頭寒足熱」の状態がベストであることから、暑さ対策に用いるハットは頭部を太陽熱で加熱されないように保護できることが最も重要である。【０００７】  従来、夏季の暑さ対策のために用いるハット等は、厳しい太陽光線を大きく反射したり、通気するなど万全な構造を有し頭部の温度上昇を防いで、涼気感を得るための条件を満たすハットは見当たらないものである。【０００８】  従って、夏季の炎天下に農作業やレジャヤ−などの戸外作業に適するハットを考案し、使用する者に涼気を感ずる効果を与え、できる限り熱中症などを排除できるハットを必要とする。
【課題を解決するための手段】
【０００９】  この考案は、前述のようなハットの課題を解決するため、夏季の太陽光線のように温度上昇や紫外線など人体を害する光線を反射する効果が大きく、あわせて断熱効果を有する素材を一定の幅にカットしたテ−プ状の材料を用い、これを格子状の型枠に編み上げて製作した広縁のク−ルハットを提供する。【００１０】  すなはち、ハットの形状を合成樹脂の骨組みとして格子状に形成した型枠を用い、前記の材料を型枠に編み込む方法で、誰でも手芸感覚で仕立てることができる特徴を有する防暑用のク−ルハットとする。【００１１】  一方で、この考案による１個の防暑用のク−ルハットを形成するための材料を手芸材料として公開し、社会に貢献できることも考慮する。
【考案の効果】
【００１２】  この考案によるク−ルハットを、夏季の炎天下において農作業等の戸外作業に用いた場合、太陽熱による頭部の温度上昇を大きく抑制できる。【００１３】  従って、この考案によるク−ルハットは、太陽熱の吸収を最大限に抑制する特性があり、格子編みにより通気性にも優れているので、着用時には十分な涼感を得ることになる。【００１４】  また、この考案のク−ルハットは、太陽光線を十分に反射し柔軟性がある材料で構成されているので、着用中の突風などの逃がし効果に優れ、頭部における保持能力が高い。【００１５】  一方、この考案によるク−ルハットが普及することで、総じて夏季の炎天下における熱中症などの防止に役立ち、防疫・健康・利便性などが向上する。【００１６】  さらに、この考案によるク−ルハットは仕立てと製作が容易であり、いろいろなデザインを施して個性を強調することもできるなど、創造と汎用性に優れている。
【考案の実施するための最良の状態】
【００１７】  この考案のあらましの形態は前述の通りであるが、このク−ルハットは断熱効果が高く柔軟性を有し、表面となる部分は太陽光線を十分に反射できる素材をテ−プ状に整形した材料を用いて製作することとする。
【００１８】  制作に当たっては、ハットの形状に合わせて骨組みとなる部分をポリエチレン素材で無数の格子状に形成し、これを型枠として材料を編み合わせることにより構成する。
【００１９】  従って、比較的柔軟なポリエチレン素材で形成された格子状の型枠として、材料を格子に編み込むので十分な通気性を有し、軽量なハットを形成することになる。
【００２０】  また、前項にかかわらず飛ばし編みをすることにより、随意に通気孔としてスペ−スを設けることもできるので、着用する頭部の通気性を確保することができる。
【００２１】  さらに、ク−ルハット内部の頭囲部分にあたる部位には、若干の汗なら吸収できる目的で麻または木綿の生地を汗取り用の布として配することで涼気効果が増大する。
【実施例】
【００２２】  以下、この考案の実施の形態を図面に基ずいて説明する。
この考案のク−ルハット１を形成する主たる材料３は、断熱性を有し表面となる側に太陽光を十分に反射できるように優れた光沢を有する物質でコ−ティングが施されていて、テ−プ状に裁断した柔軟かつ偏平な素材を用いる。【００２３】  まず図１において、ク−ルハット１の骨組みとなる格子状の型枠２は、プラスチック成型用の金型によりポリエチレン素材を図１の如く抽出成型したものを用いる。【００２４】  つぎに、図２の如く材料３を格子状にハットの形状に成型した型枠２に対し、格子の縦桟ａに材料３を編み込んで噛合する。この場合、材料３は型枠２の横桟ｂの各一周毎の寸法を勘案して適当な長さを必要とし、幅は横桟ｂのピッチに合致した寸法とする。【００２５】  型枠２の横桟ｂのそれぞれにおいて、円周毎に噛合した材料３の先端は、合致したｃ点が重なる程度の余分な長さに裁断し、接着剤等を用いて材料３の両先端を合わせて相互に固着する。【００２６】  この考案のク−ルハットの仕上りは図３の如くなり、ク−ルハット１の形成が終わった時点において縁端部分ｄは色彩のある布または細紐などで装飾を施し外見を整える。【００２７】  同時に、幅広のテ−プ状の麻または木綿の生地を頭囲に合致する寸法に裁断し、リング状にして頭囲に当たる部分ｅの内部に縫合して仕立てと製作を完了する。
【産業上の利用可能性】
【００２８】  この考案によるク−ルハットは、夏季の戸外における防暑対策に用いた場合、理想的な機能を有し、生産工程も簡単であるためコストも廉価であり、軽便に利用できるので産業上普及に供し得るものである。【００２９】  また、手芸の素材として一般に供し得ることができるので、手芸の愛好家などを対象に教材セットとして提供することができる。
【図面の簡単な説明】
【００３０】
【図１】  金型を用いてポリエチレン素材の抽出成型によるク−ルハットの骨組みの形状を示す型枠の見取図。
【図２】  考案によるク−ルハットを形成するため、型枠に材料を噛合する過程を説明する見取図。
【図３】  考案によるク−ルハットの完成図を示し、各部の構成を説明する見取図。
【符号の説明】
【００３１】  １．    ク−ルハット。
２．    ク−ルハットの骨組みに用いる格子状の型枠。
３．    ク−ルハットの型枠２の縦桟ａに噛合する材料。
ａ．    ク−ルハットの格子状型枠の縦桟。
ｂ．    ク−ルハットの格子状型枠の横桟。
ｃ．    ク−ルハットの格子状型枠に噛合した材料が合致する部位。
ｄ．    ク−ルハットの縁端部分。
ｅ．    ク−ルハットの頭囲にあたり、内部に麻または木綿の生地を縫合する部分。
【図１】
0003135291.tif 000003
【図２】
0003135291.tif 000004
【図３】
0003135291.tif 000005
【手続補正書】
【提出日】平成19年5月1日(2007.5.1)
【手続補正１】
【補正対象書類名】実用新案登録請求の範囲
【補正対象項目名】請求項２
【補正方法】削除
【補正の内容】
【手続補正書】
【提出日】平成19年7月6日(2007.7.6)
【手続補正１】
【補正対象書類名】手続補正書
【補正対象項目名】手続補正１
【補正方法】変更
【補正の内容】
【手続補正１】
【補正対象書類名】実用新案登録請求の範囲
【補正対象項目名】全文
【補正方法】変更
【補正の内容】
【実用新案登録請求の範囲】
【請求項１】
柔軟性と断熱性を有し、太陽光線を反射し得るコ−ティングを施した素材をテ−プ状にカットした材料を主材とし、ポリエチレン素材を抽出して成型した型枠を骨組みとする広縁ハット。